【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
動画像の画像信号を処理する装置であって、
前記画像信号に基づく画像の動きベクトルを検出し、当該動きベクトルに基づいて前記画像の表示サイズを判定するサイズ変更判定手段と、
前記サイズ変更判定手段により判定された表示サイズに基づいて、前記画像の表示サイズを設定する表示サイズ設定手段と
を備えることを特徴とする画像処理装置。
【請求項２】
前記サイズ変更判定手段は、
第１画像の表示サイズを変更する場合、
当該第１画像から所定後の第２画像までの間における画像の表示サイズを拡大又は縮小する割合を連続的に変更することを特徴とする請求項１に記載の画像処理装置。
【請求項３】
前記画像におけるシーンチェンジを検出するシーンチェンジ検出手段を備え、
前記サイズ変更判定手段は、オフライン処理の場合に、
前記シーンチェンジ検出手段により検出されたシーンチェンジのタイミングに、前記画像が縮小するように当該画像の表示サイズを変更することを特徴とする請求項１に記載の画像処理装置。
【請求項４】
前記サイズ変更判定手段は、オフライン処理の場合に、
複数の画像の表示サイズに変化があり、かつ、当該各々のフレームの時間間隔が短い場合、当該画像の各々の表示サイズを、徐々に変化するように変更することを特徴とする請求項１に記載の画像処理装置。
【請求項５】
前記サイズ変更判定手段は、
前記画像信号の画像の動きベクトルを検出する動き検出手段と、
前記動き検出手段により検出された動きベクトルから、所定の動きベクトルを抽出する動きベクトル抽出手段と、
前記動きベクトル抽出手段により抽出された動きベクトルに基づいて前記画像の表示サイズを判定するサイズ判定手段とを備え、
前記表示サイズ設定手段は、
前記サイズ判定手段により判定された表示サイズに前記画像を設定することを特徴とする請求項１に記載の画像処理装置。
【請求項６】
前記動きベクトル抽出手段は、
前記動きベクトルのヒストグラムを生成し、最も多い動きベクトルの動きを背景の動きとし、二番目に多い動きベクトルの動きを画面内の主要オブジェクトの動きとし、当該二番目に多い動きベクトルを抽出し、当該二番目に多い動きベクトルの数を供給することを特徴とする請求項５に記載の画像処理装置。
【請求項７】
前記サイズ判定手段は、
前記二番目に多い動きベクトルの数と所定の閾値とを比較し、当該二番目に多い動きベクトルの数が当該閾値より大きい場合、前記画像の表示サイズの拡大を判定し、
当該二番目に多い動きベクトルの数が当該閾値より小さい場合、前記画像の表示サイズの維持を判定することを特徴とする請求項６に記載の画像処理装置。
【請求項８】
動画像の画像信号を処理する方法であって、
前記画像信号に基づく画像の動きベクトルを検出する第１のステップと、
検出された前記動きベクトルに基づいて前記画像の表示サイズを判定する第２のステップと、
判定された前記表示サイズに基づいて、前記画像の表示サイズを設定する第３のステップと
を有することを特徴とする画像処理方法。
【請求項９】
コンピュータに動画像の画像信号を処理させるプログラムであって、
前記画像信号に基づく画像の動きベクトルを検出する第１のステップと、
検出された前記動きベクトルに基づいて前記画像の表示サイズを判定する第２のステップと、
判定された前記表示サイズに基づいて、前記画像の表示サイズを設定する第３のステップと
を実行させることを特徴とする画像処理プログラム。
【請求項１０】
動画像の画像及び音声情報である画像音声信号を処理する装置であって、
前記画像音声信号の音声情報を検出する音声検出手段と、
前記音声検出手段に検出された音声情報から所定の音声の特徴量を抽出する音声特徴量抽出手段と、
前記音声特徴量抽出手段により抽出された音声の特徴量に基づいて前記画像音声信号における画像の表示サイズを判定するサイズ判定手段と、
前記サイズ判定手段により判定された表示サイズに基づいて、当該画像の表示サイズを設定する表示サイズ設定手段と
を備えることを特徴とする画像処理装置。
【請求項１１】
前記サイズ判定手段は、
第１画像の表示サイズを判定する場合、
当該第１画像から所定後の第２画像までの間における画像の表示サイズを拡大又は縮小する割合を連続的に変更するように判定することを特徴とする請求項１０に記載の画像処理装置。
【請求項１２】
前記画像におけるシーンチェンジを検出するシーンチェンジ検出手段を備え、
前記サイズ変更判定手段は、オフライン処理の場合に、
前記シーンチェンジ検出手段により検出されたシーンチェンジのタイミングに、前記画像が縮小するように当該画像の表示サイズを変更することを特徴とする請求項１０に記載の画像処理装置。
【請求項１３】
前記サイズ判定手段は、オフライン処理の場合に、
複数の画像の表示サイズに変化があり、かつ、当該各々のフレームの時間間隔が短い場合、当該画像の各々の表示サイズを、徐々に変化するように判定することを特徴とする請求項１０に記載の画像処理装置。
【請求項１４】
前記サイズ判定手段は、
前記音声特徴量抽出手段により抽出された前記音声の特徴量と第１の閾値とを比較し、当該音声の特徴量が当該閾値より大きい場合、前記画像の表示サイズを拡大して表示するように判定し、
前記音声の特徴量と第２の閾値とを比較し、当該音声の特徴量が当該閾値より小さい場合、前記画像の表示サイズを縮小して表示するように判定することを特徴とする請求項１０に記載の画像処理装置。
【請求項１５】
前記音声情報は複数の音声チャンネルを有し、
前記音声特徴量抽出手段は、
前記音声情報から前記音声チャンネルの各々の音量を抽出し、当該音量を画像単位で平均又は合計することを特徴とする請求項１０に記載の画像処理装置。
【請求項１６】
前記音声特徴量抽出手段は、
前記音声情報を周波数に変換し、
前記サイズ判定手段は、
前記音声特徴量抽出手段により変換された周波数が、所定の周波数範囲の基準周波数に一致する音声であるかを判定し、この判定結果に基づいて前記画像の表示サイズを判定することを特徴とする請求項１０に記載の画像処理装置。
【請求項１７】
前記音声情報は複数の音声チャンネルを有し、
前記音声特徴量抽出手段は、
前記音声チャンネル毎の同時刻における音量の差分絶対値を算出することを特徴とする請求項１０に記載の画像処理装置。
【請求項１８】
前記音声情報は複数の音声チャンネルを有し、
前記音声特徴量抽出手段は、
前記音声チャンネル毎の第１の時刻における音量の第１の差分値を算出し、さらに、前記音声チャンネル毎の第２の時刻における音量の第２の差分値を算出し、当該第１の差分値と当該第２の差分値との差分絶対値を算出することを特徴とする請求項１０に記載の画像処理装置。
【請求項１９】
動画像の画像及び音声情報である画像音声信号を処理する方法であって、
前記画像音声信号の音声情報を検出する第１のステップと、
検出された前記音声情報から所定の音声の特徴量を抽出する第２のステップと、
抽出された前記音声の特徴量に基づいて前記画像音声信号における画像の表示サイズを判定する第３のステップと、
判定された前記表示サイズに基づいて、当該画像の表示サイズを設定する第４のステップと
を有することを特徴とする画像処理方法。
【請求項２０】
コンピュータに動画像の画像及び音声情報である画像音声信号を処理させるプログラムであって、
前記画像音声信号の音声情報を検出する第１のステップと、
検出された前記音声情報から所定の音声の特徴量を抽出する第２のステップと、
抽出された前記音声の特徴量に基づいて前記画像音声信号における画像の表示サイズを判定する第３のステップと、
判定された前記表示サイズに基づいて、当該画像の表示サイズを設定する第４のステップと
を実行させることを特徴とする画像処理プログラム。
【手続補正２】
【補正対象書類名】明細書
【補正対象項目名】００２１
【補正方法】削除
【補正の内容】
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４９
【補正方法】削除
【補正の内容】
【手続補正２７】
【補正対象書類名】明細書
【補正対象項目名】００５０
【補正方法】削除
【補正の内容】
【手続補正２８】
【補正対象書類名】明細書
【補正対象項目名】００５１
【補正方法】削除
【補正の内容】
【手続補正２９】
【補正対象書類名】明細書
【補正対象項目名】００５２
【補正方法】削除
【補正の内容】
【手続補正３０】
【補正対象書類名】明細書
【補正対象項目名】００５３
【補正方法】削除
【補正の内容】
【手続補正３１】
【補正対象書類名】明細書
【補正対象項目名】００５４
【補正方法】削除
【補正の内容】
【手続補正３２】
【補正対象書類名】明細書
【補正対象項目名】００５５
【補正方法】削除
【補正の内容】
【手続補正３３】
【補正対象書類名】明細書
【補正対象項目名】００５６
【補正方法】削除
【補正の内容】